(57)【要約】  腰掛け家具および／または横になるための家具のクッション、特にベッドのマットレスを支持するための電動調節可能な支持装置２は、本体４を具備し、この本体は第１支持部分６を備え、この第１支持部分は第２支持部分１０と相対的に調節可能、特に揺動可能である。支持装置２は電動式調節装置１２を具備し、この調節装置は第１支持部分を調節するために第１支持部分に作用連結されている。調節装置１２は第１調節ユニット１６と第２調節ユニット１８を備え、この調節ユニットは本体４の縦方向両側に配置され、第１調節ユニット１６の回転可能に支承された部品が連結軸２２を介して第２調節ユニット１８の同じような部品にほぼ相対回転しないように連結され、調節ユニット１６、１８に共通の電動機が付設されている。本発明に従い、回転可能に支承された部品がそれぞれ、減速装置の入力側の伝動要素である。
2012523867.tif 000002
【特許請求の範囲】
【請求項１】
本体を具備し、この本体が第１支持部分を備え、この第１支持部分が第２支持部分と相対的に調節可能、特に揺動可能であり、
電動式調節装置を具備し、この調節装置が前記第１支持部分を調節するために前記第１支持部分に作用連結され、
前記調節装置が第１調節ユニットと第２調節ユニットを備え、この調節ユニットが前記本体の縦方向両側に配置され、
前記第１調節ユニットの回転可能に支承された部品が連結軸を介して前記第２調節ユニットの同じような部品にほぼ相対回転しないように連結され、
前記調節ユニットに共通の電動機が付設されている、
腰掛け家具および／または横になるための家具のクッション、特にベッドのマットレスを支持するための電動調節可能な支持装置において、
回転可能に支承された前記部品がそれぞれ、減速装置の入力側の伝動要素であることを特徴とする支持装置。
【請求項２】
前記減速装置がウォームギヤ（２４、２６）であることを特徴とする請求項１に記載の支持装置。
【請求項３】
前記入力側伝動要素が前記ウォームギヤ（２４、２６）のウォーム（２４）であることを特徴とする請求項２に記載の支持装置。
【請求項４】
前記減速装置の各出力側伝動要素が回転可能に支承されたねじスピンドル（３２）に相対回転しないように連結され、このねじスピンドル上に、スピンドルナット（３４）が回転しないようにかつ前記ねじスピンドル（３２）の回転方向に相応して軸方向に移動可能に配置され、スピンドルナットが前記各調節ユニット（１６）の被駆動機構を形成していることを特徴とする請求項１〜３のいずれか一項に記載の支持装置。
【発明の詳細な説明】
【技術分野】
【０００１】
本発明は、腰掛け家具および／または横になるための家具のクッション、特にベッドのマットレスを支持するための、請求項１の前提部分に記載した種類の電動調節可能な支持装置に関する。
【背景技術】
【０００２】
腰掛け家具および／または横になるための家具のクッションのためのこのような支持装置は、例えばベッドのすのこの形をしており、例えば特許文献１と特許文献２と特許文献３と特許文献４によって一般的に知られている。
【０００３】
特許文献５により、腰掛け家具および／または横になるための家具のクッション、特にベッドのマットレスを支持するための当該種類の電動調節可能な支持装置が知られている。この支持装置は本体を備え、この本体は第１支持部分を備え、この第１支持部分は第２支持部分と相対的に調節可能、特に揺動可能である。公知の支持装置はさらに電動式調節装置を備え、この調節装置は第１支持部分を調節するために第１支持部分に作用連結されている。この公知の支持装置の場合、調節装置は第１調節ユニットと第２調節ユニットを備え、この調節ユニットは本体の縦方向両側に配置され、第１調節ユニットの回転可能に支承された部品が連結軸を介して第２調節ユニットの同じような部品にほぼ相対回転しないように連結され、調節ユニットに共通の電動機が付設されている。文献によって知られている支持装置の場合、連結軸を介してほぼ相対回転しないように相互連結された部品は、第１支持部分を揺動させるために第１支持部分に作用連結された揺動軸である。この場合、文献によって知られている支持装置は、その調節ユニットに電動機が付設され、電動機の駆動トルクが連結軸を経て第２調節ユニットに伝達されるように形成されている。従って、その都度スピンドル装置を介して調節力に変換される電動機の駆動トルクが、一方では第１調節ユニットを経て、他方では第２調節ユニットを経て、第１支持部分の縦方向両側に加えられるので、両調節ユニットは機械的に互いに強制同期化される。これにより、支持部分の縦方向両側が調節運動時に異なるように持ち上げられて第１支持部分がねじれることが回避される。
【先行技術文献】
【特許文献】
【０００４】
【特許文献１】欧州特許第０３７２０３２Ｂ２号明細書
【特許文献２】独国特許第３８４２０７８Ｃ２号明細書
【特許文献３】独国特許第１９９６２５４１Ｃ３号明細書
【特許文献４】独国特許出願公開第１００４６７５１Ａ１号明細書
【特許文献５】独国特許出願公開第１０２００４０１６０４８Ａ１号明細書
【発明の概要】
【発明が解決しようとする課題】
【０００５】
本発明の根底をなす課題は、構造が簡単化され、それによって低コストで形成される、腰掛け家具および／または横になるための家具のクッション、特にベッドのマットレスを支持するための、請求項１の前提部分に記載した種類の電動調節可能な支持装置を提供することである。
【課題を解決するための手段】
【０００６】
この課題は請求項１に記載した本発明によって解決される。
【０００７】
本発明は、公知の支持装置の場合、連結軸が大きなねじりモーメントにさらされるという認識に基づいている。調節時に第１支持部分の縦方向両側を異なるように持ち上げることになる不所望なねじれを回避するために、公知の支持装置の場合には、大きな横断面を有する連結軸を使用する必要がある。
【０００８】
これから出発して、本発明の根底をなす思想は、それぞれ減速装置の入力側伝動要素である、調節ユニットの回転可能に支承された部品を、連結軸を介してほぼ相対回転しないように相互連結することにある。公知の支持装置の場合には、電動機の駆動トルクが減速装置によって既に変換されている調節装置の駆動トレインの場所で、すなわち比較的に大きなトルクを伝達すべきである調節装置の駆動トレインの場所で、回転可能に支承された部品の相対回転しないような相互連結が行われるが、本発明では回転可能に支承された部品間の相対回転しないような連結は、トルクがまだ変換されていない駆動トレインの場所で、すなわちトルクが比較的に小さい駆動トレインの場所で行われる。つまり、本発明では減速装置による駆動トルクの変換は、伝動要素のほぼ相対回転しない相互連結部の後で行われる。
【０００９】
その結果、本発明に係る支持装置の場合には、連結軸の横断面が非常に小さくなり、その際、連結軸が大きくねじれる危険がない。これは支持装置の構造を簡単化し、それによってコストを節約する。本発明に係る支持装置の場合にはさらに、調節ユニットを簡単に構成することができ、それによって同様に低コストで形成することができる。これは製作コストをさらに下げる。
【００１０】
本発明に係る支持装置の他の利点は、連結軸の横断面の縮小によって重量が減少することにある。この利点は特に、支持装置が２本以上の連結軸を備えているときに重要である。例えば、上半身支持部分に付設された調節ユニットを互いに連結する連結軸に加えて、すのこの脚支持部分に付設された調節ユニットを互いに連結する他の連結軸を設けることができる。
【００１１】
本発明に係る支持装置の他の利点は、調節ユニットの構造的な形成に関する自由度が高められることにある。
【００１２】
減速装置は適当な任意の減速装置であってもよく、例えば歯車装置であってもよい。本発明の有利な発展形態では、減速装置はウォームギヤである。適当なウォームギヤは比較的に簡単で低コストで頑丈な標準部品として供される。
【００１３】
上記の実施形態の有利な発展形態では、入力側の伝動要素がウォームギヤのウォームである。減速装置の入力側の伝動要素とは、本発明では、電動機の駆動トルクを減速装置に伝達する伝動要素であると理解される。従って、上記の実施形態の場合、ウォームギヤの出力側の伝動要素はウォームホイールによって形成される。ウォームギヤが共通の１個のウォームにかみ合う複数のウォームホイールを備えている場合には、各ウォームホイールが本発明における出力側伝動要素を形成する。
【００１４】
ウォームギヤを備えた実施形態の場合、入力側の伝動要素をウォームホイールによって形成してもよい。それによって、出力側の伝動要素はウォームとなる。本発明では、電動機の駆動トルクの変換は専ら、入力側の伝動要素が回転可能に支承された部品を形成する１個の減速装置によって達成可能である。しかしながら、本発明では、それ以上の減速が所望されるかまたは必要である場合には、この減速装置に付加的な１個の減速装置または付加的な複数個の減速装置を追加することができる。
【００１５】
比較的に簡単な構造によって、第２支持部分と相対的な第１支持部分の調節、特に揺動を達成するために、減速装置の出力側伝動要素の回転を被駆動機構の直線運動に変換すると合目的である。この被駆動機構自体は、第１支持部分を調節、特に揺動させるために、第１支持部分に作用連結されている。その場合、本発明の有利な発展形態では、減速装置のそれぞれの出力側伝動要素が回転可能に支承されたねじスピンドルに連結され、このねじスピンドル上に、スピンドルナットが回転しないようにかつねじスピンドルの回転方向に応じて軸方向に移動可能に配置され、スピンドルナットがそれぞれの調節装置の被駆動機構を形成している。この実施形態の場合、調節ユニットが直線駆動装置として形成されている。
【００１６】
次に、実施形態に基づいてかつ添付の図を参照して本発明を詳しく説明する。説明し、図に示しそして特許請求の範囲において請求したすべての特徴は、特許請求の範囲におけるその要約や従属関係に関係なく、並びにその説明や図における図示に関係なく、単独でも任意の相互組み合わせでも本発明の対象を形成する。
【図面の簡単な説明】
【００１７】
【図１】すのこの形をした本発明に係る支持装置の実施形態の斜視図であり、見やすくするためにすのこの細長い板が省略されている。
【図２】図１の支持装置の調節装置の第１調節ユニットの細部を示す詳細斜視図である。
【図３】支持装置の第２調節ユニットの範囲の細部を示す、図２と同様な図である。
【発明を実施するための形態】
【００１８】
図１には、腰掛け家具および／または横になるための家具のクッションを支持するための本発明に係る支持装置の実施形態が示してある。この支持装置はすのことして形成され、ベッドのマットレスを支持する働きをする。図示を簡単化するために、図１ではすのこの細長い板とマットレスが省略されている。支持装置２は枠状の本体４を備え、この本体は第１支持部分６を有し、この第１支持部分は多数の支持部分からなる上半身支持体８の一部である。第１支持部分６は第２支持部分１０と相対的に調節可能である。図示した実施形態の場合、第２支持部分１０は定置された支持部分によって形成され、この支持部分には、第１支持部分６が水平揺動軸回りに揺動可能に枢着連結されている。
【００１９】
支持装置２はさらに、電動式調節装置１２を備えている。この調節装置は図２と図３に基づいて詳しく後述するように、第１支持部分６を第２支持部分１０と相対的に調節するために、第１支持部部６に作用連結されている。電動式調節装置１２は電動機１４と、図２に基づいて詳しく後述する第１調節ユニット１６と、図３に基づいて詳しく後述する第２調節ユニット１８とを備えている。
【００２０】
支持装置２の脚支持体２０を調節するために、対応する電動式調節装置１２′が設けられている。この調節装置は電動式調節装置１２と同様に構成されているので、詳しく説明しない。
【００２１】
図１から明らかなように、第１調節ユニット１６と第２調節ユニット１８は、本体４の縦方向両側に設けられている。
【００２２】
図２は第１調節ユニット１６の領域の詳細を示している。第１調節ユニット１６は回転可能に支承された部品を備えている。この部品は連結軸２２を介して、第２調節ユニット１８の同じような部品にほぼ相対回転しないように連結されている。本発明に従って、回転可能に支承された部品はそれぞれ、減速装置の入力側伝動要素である。本実施形態の場合、この減速装置はウォームギヤとして形成されている。このウォームギヤのウォーム２４が入力側伝動要素を形成する一方、ウォーム２４にかみ合うウォームホイール２６がウォームギヤ２４、２６の出力側伝動要素を形成する。ウォームホイール２６はボールベアリング２８によって第１調節ユニット１６のケーシング３０内に軸受されている。図示上の理由から、第１調節ユニット１６のケーシング３０は図２には開放して示してある。
【００２３】
ウォームホイール２６は回転可能に支承されたねじスピンドル３２に相対回転しないように連結されている。このねじスピンドルのうち、図２には図示上に理由から軸方向区間だけが示してある。ねじスピンドル３２上には  スピンドルナット３４が回転しないようにかつねじスピンドル３２の回転方向に応じて軸方向に配置されている。このスピンドルナットは第１調節ユニット１６の被駆動機構を形成している。スピンドルナット３４はねじスピンドル３２の回転方向に応じて、ねじスピンドル３２の軸方向に両方向矢印３６の方へ往復運動可能である。従って、スピンドル３２とスピンドルナット３４によって形成されたスピンドル装置を介して、連結軸２２の回転運動がスピンドルナット３４の直線運動に変換されるので、電動機１４によって発生する駆動トルクは調節力に変換される。スピンドルナット３４の直線運動を第２支持部分１０と相対的な第１支持部分６の揺動運動に変換する方法については、当業者に周知であるので、ここでは詳しく説明しない。
【００２４】
図３は第２調節ユニット１８の領域の詳細を示している。第２調節ユニット１８は第１調節ユニット１６に対して鏡像対称的に構成されているので、詳しく説明しない。
【００２５】
本発明に従い、第１調節ユニット１６のウォーム２４は連結軸２２を介して第２調節ユニット１８の対応するウォームにほぼ相対回転しないように連結されている。
【００２６】
連結軸２２にトルクを加えることは電動機１４を介して行われる。この電動機は図３では図示上の理由から省略されている。電動機１４の出力軸は第１歯車３８に回転駆動連結され、この第１歯車は連結軸２２に相対回転しないように連結された第２歯車４０にかみ合っている。従って、電動機１４が回転すると、連結軸２２が電動機１４の出力軸の回転方向に相応して回転させられる。
【００２７】
本発明に係る支持装置２の作用は次の通りである。
【００２８】
第１支持部分６を第２支持部分１０と相対的に調節するために、電動機１４が駆動され、それによって連結軸２２が回転する。第１調節ユニット１６のウォーム２４と第２調節ユニット１８の対応するウォームがほぼ相対回転しないように連結されているので、両ウォームはほぼ同期して回転させられる。それによって、第１調節ユニット１６に付設されたスピンドルナット３４と、第２調節ユニット１８に相応して付設されたスピンドルナットはほぼ同期して動く。スピンドルナットが第１支持部分６の縦方向両側に調節力を加えるので、この縦方向両側はほぼ同期して持ち上げられる。
【００２９】
電動機１４の駆動トルクの変換が、駆動トレインにおいて連結軸２２の後の場所で、すなわち第１調節ユニット１６に付設されたウォームギヤ２４、２６と第２調節ユニット１８に付設された相応のウォームギヤによって行われるので、連結軸２２は比較的に小さなトルクを伝達する。従って、連結軸２２を比較的に小さな横断面を有するように形成することができる。第１調節ユニットと第２調節ユニットの同じように回転可能に支承された部品間のほぼ相対回転しない連結とは、本発明では、調節時に連結軸２２のねじれが第１支持部分６の一方の縦方向側の大きな先行動作または後行動作を生じない間の、連結軸２２のねじれに基づいて完全には相対回転しない連結であると理解される。
【図１】
2012523867.tif 000003
【図２】
2012523867.tif 000004
【図３】
2012523867.tif 000005
【国際調査報告】
2012523867.tif 000006
2012523867.tif 000007
2012523867.tif 000008
2012523867.tif 000009